(57)【要約】【課題】  漏れを確実に防止することができ、しかも使用者にとって長時間身に着けていても不快感を伴うことなく安心して使用することができ、また介護用の場合は介護者によるおむつの交換が用意で介護負担の軽減を期すことのできるおむつカバーを提供できるようにする。【解決手段】  筒状胴部１の下部に、左右の脚用筒部６、７を有し、この脚用筒部は内側下縁に設けた面ファスナー９、９等の着脱可能な固着具を有し、これら固着具間には内股開口部１０が形成されていて、この内股開口部は、一端が後胴側か前胴側のいずれか一方に固着され、他端が内股開口部を経て、前胴部か後胴部のいずれか他方に着脱可能に固着されるように構成した股部フラップ１１により覆われ、また前記筒状胴部１を、前胴部にて観音扉状に開閉可能に構成した。【選択図】  図３
2007202849.tif 000002
【特許請求の範囲】
【請求項１】
筒状胴部の下部に、左右の脚用筒部を有し、この脚用筒部は内側下縁に設けた面ファスナー等の着脱可能な固着具を有し、これら固着具間には内股開口部が形成されていて、この内股開口部は、一端が後胴側か前胴側のいずれか一方に固着され、他端が内股開口部を経て、前胴部か後胴部のいずれか他方に着脱可能に固着されるように構成した股部フラップにより覆われるように構成してなるおむつカバー。
【請求項２】
前記筒状胴部を、前胴部にて観音扉状に開閉可能に構成してなる請求項１に記載のおむつカバー。
【請求項３】
前記脚用筒部の下縁における固着具を、一方の固着具が前胴部または後胴部のいずれか一方において内側に突出するフラップ部に設けてなる請求項１に記載のおむつカバー。
【発明の詳細な説明】
【技術分野】
【０００１】
本発明は、原則として紙おむつまたは布おむつの外側に装着して使用し、もれを確実に防止できるようにしてあって、特に介護用として好適なおむつカバーに関する。
【背景技術】
【０００２】
おむつカバーには、従来から各種のものがあるが、前胴部が開閉可能であり、股部覆い用のフラップが後胴部から連続する構造のおむつカバーが一般的である（例えば、特許文献１参照）。
【０００３】
上述した従来のおむつカバーでは、使用者の背中と後胴部上縁との間および脚部の付け根の隙間から漏れが生じることがあり、いずれもゴム等の伸縮材で使用者の体に密着させる構造とすることによって漏れを抑えている。
【０００４】
【特許文献１】実願昭６２−７４２９５号（実開昭６３−１８４０１３号）のマイクロフィルム（第１〜６頁、第１図および第２図）
【発明の開示】
【発明が解決しようとする課題】
【０００５】
本発明は、漏れを確実に防止することができ、しかも使用者にとって長時間身に着けていても不快感を伴うことなく安心して使用することができ、また介護用の場合は介護者によるおむつの交換が用意で介護負担の軽減を期すことのできるおむつカバーを提供できるようにすることを目的としている。
【課題を解決するための手段】
【０００６】
上記課題を解決するために、本発明に係るおむつカバーは、筒状胴部の下部に、左右の脚用筒部を有し、この脚用筒部は内側下縁に設けた面ファスナー等の着脱可能な固着具を有し、これら固着具間には内股開口部が形成されていて、この内股開口部は、一端が後胴側か前胴側のいずれか一方に固着され、他端が内股開口部を経て、前胴部か後胴部のいずれか他方に着脱可能に固着されるように構成した股部フラップにより覆われ、また前記筒状胴部を、前胴部にて観音扉状に開閉可能に構成したものとしてある。
【０００７】
また前記脚用筒部の下縁における固着具を、一方の固着具が前胴部または後胴部のいずれか一方において内側に突出するフラップ部に設けた構成のものとしてある。
【発明の効果】
【０００８】
本発明によれば、脚用筒部を有し、しかもこの脚用筒部はその内側下縁における固着具で着脱可能に構成されていて、股下から脚用筒部の下縁に少なくとも固着具分の幅のまちが生じるので、使用者の脚を通すための孔が使用者の脚の付け根に密着するものに比して内股部にゆとりがあって蒸れにくく、使用者の快適さが向上するとともに、股下から脚用筒部下縁との間のまちが存在する分漏れが生じにくく、使用者、介護者ともに安心して使用することができる。
【０００９】
また、脚用筒部間に内股開口部を有しており、しかもこの内股開口部は股部フラップにより圧迫されることなく覆われるので、通気性と使用者にとってのゆったり感が充分に得られる。
【００１０】
さらに、筒状胴部および脚用筒部はいずれも面ファスナー等の固着具によって開閉可能に構成されているので、使用者が寝た状態のままでおむつの交換を容易に行うことができ、また洗濯も簡単かつ充分に行うことができるというメリットもある。
【発明を実施するための最良の形態】
【００１１】
以下、本発明に係るおむつカバーの実施例を添付図面に示す具体例に基づいて説明する。
筒状胴部１は前胴部２と後胴部３で構成され、筒状胴部の上縁にはゴム材等よりなる伸縮部４を設けてあり、前胴部２は左片部２ａと右片部２ｂとで構成されている。
【００１２】
そして上記左片部と右片部は、固着具たる面ファスナー５、５によって互いに着脱可能に係合するように構成されていて、左片部と右片部とは前胴部２の略中央にて観音扉状に開閉できるようになっている。
【００１３】
前記筒状胴部１の下方には、左右の脚用筒部６、７は後胴部の内側下端に突設したフラップ部８に設けた固着具たる面ファスナー９と、前胴部の内側下端に設けた面ファスナー９とを互いに係合させることによって筒状に構成されるようになっており、したがってこれら面ファスナー９、９を剥がすと脚用筒部も前記筒状胴部と同様にフラットに開かれるようになっている。
【００１４】
しかして、脚用筒部の上方には面ファスナー等の固着具による閉止がなされない内股開口部１０が形成されていて、この内股開口部は股部フラップ１１によって覆われるようになっている。
【００１５】
すなわち股部フラップ１１は、一端が後胴部の外側に固着され、他端が固着具たる面ファスナー１２によって前胴部の面ファスナー１２に係合するように構成されている。
【００１６】
上述のように構成した本発明のおむつカバーは、使用者の前面側からフラットに開くことができるように構成してあるが、脚用筒部における固着具用フラップ部８を前胴側に設け、後胴が開くように構成し、かつ股部フラップ１１の前端を前胴部に固着して後端を後胴部に着脱可能に係合せしめれば、使用者の背面側からフラットに開くことができるようにすることが可能である。
【００１７】
また、前胴部あるいは後胴部を観音扉状に開くのではなく、筒状胴部の側部にて前胴部と後胴部とが着脱可能に係合する構成とする場合もある。
【００１８】
さらに、固着具は着脱可能であって、使用者に不快感や不便さを与えるものでなければ、例えばボタンやホック、あるいは線状ファスナーを使用してもよい。
【００１９】
なお、本発明のおむつカバーは使用者にとって快適な素材のものであれば特にいかなる素材を用いて製作してもよいが、１枚もののシート材で構成するよりも、２枚もののシート材で構成し、表側を防水性を有する素材、内側を吸水性を有し、柔らかな手触りの素材で構成するのが好ましい。
【図面の簡単な説明】
【００２０】
【図１】本発明に係るおむつカバーの実施例を示す正面図。
【図２】本発明のおむつカバーを全て展開した状態を示す正面図。
【図３】本発明のおむつカバーの股部フラップだけを開いた状態を示す正面図。
【図４】本発明のおむつカバーの股部フラップと脚用筒部をともに開いた状態を拡大して示す正面図。
【符号の説明】
【００２１】
１  筒状胴部
２  前胴部
３  後胴部
４  伸縮部
５  面ファスナー
６、７  脚用筒部
８  フラップ部
９  面ファスナー
１０  内股開口部
１１  股部フラップ
１２  面ファスナー
【図１】
2007202849.tif 000003
【図２】
2007202849.tif 000004
【図３】
2007202849.tif 000005
【図４】
2007202849.tif 000006